(57)【要約】【課題】安定的に着用することのできる小型の耳あてを提供する。【解決手段】マスクを併用する際には、襟部１０４をカバー部１０３に対して折り返し、マスクの耳紐３０１を襟部１０４とカバー部１０３の間のくびれに掛ける（ａ）。そして、襟部１０４を折り戻して通常の形態とする（ｂ）。使用する際には、左右の耳カバー１００に、左右の耳をそれぞれ耳挿入口１０１より挿入して装着し、マスクを口に掛けるようにする（ｃ）。これにより、マスクの良好な装着と、マスクの紐による耳あての装着の安定化が図られる【選択図】図３
2004187818.tif 000002
【特許請求の範囲】
【請求項１】
左右１対の耳カバーよりなる耳あてであって、
前記耳カバーは、
耳を挿入するための耳挿入口を有すると共に、前記耳挿入口から挿入された耳を覆う形状を有するカバー部と、
前記カバー部の外側に設けられた、前記カバー部側に向かって開いた漏斗形状を有する、前記耳挿入口の周りで前記カバー部に対して前記漏斗形状の内周側開口の縁が固定された襟部とを有することを特徴とする耳あて。
【請求項２】
請求項１記載の耳あてであって、
前記襟部は、下部に設けられた紐通し用の孔を有することを特徴とする耳あて。
【請求項３】
請求項１または２記載の耳あてであって、
前記襟部は、前記カバー部との固定部で、当該襟部が前記カバー部と反対の側に向かって開いた漏斗形状となるように、折り返し可能であることを特徴とする耳あて。
【請求項４】
請求項１、２、３または３記載の耳あてであって、
前記襟部の漏斗形状は、当該漏斗形状の高さが、前記耳カバー使用時において当該耳カバーの使用者からみて下方前方に向かって低くなるものであることを特徴とする耳あて。
【発明の詳細な説明】
【０００１】
【発明の属する技術分野】
本発明は、防寒等に用いられる耳あてに関するものである。
【０００２】
【従来の技術】
防寒等に用いられる耳あてとしては、頭部に掛けるフレームの両端に耳を覆う耳カバー部を連結した、ちょうどオーバーヘッド型のヘッドホンのような形状を有する耳あてが広く普及している。
また、頭部に掛けるフレームを備えずに、耳を覆う耳カバー部を、そのまま耳に引っ掛けるように着用するタイプの耳あても知られている。
【０００３】
【発明が解決しようとする課題】
従来の耳あてによれば、頭部にフレームを掛ける必要があるために、髪型によっては、適正に着用することができなかったり、耳あての着用により髪型が乱れてしまうなどの問題があった。また、頭部に掛けるフレームがあるために、耳あて全体のサイズが比較的大きくならざるを得ず、携帯や収容にかさばるものであった。
【０００４】
一方、耳カバー部を耳に引っ掛けるように着用するタイプの耳あては、装着が安定しないために外れやすいという問題がある。また、このタイプの耳あては、耳あてと同時に耳掛け式のマスクを着用することが困難であるという問題もある。
【０００５】
そこで、本発明は、安定的に着用することのできる小型の耳あてを提供することを課題とする。また、併せて、本発明は、マスクとの同時着用に適した耳あてを提供することを課題する。
【０００６】
【課題を解決するための手段】
前記課題達成のために本発明は、左右１対の耳カバーよりなる耳あてにおいて、前記耳カバーを、耳を挿入するための耳挿入口を有すると共に、耳挿入口から挿入された耳を覆う形状を有するカバー部と、前記カバー部の外側に設けられた、前記カバー部側に向かって開いた漏斗形状を有する、前記耳挿入口の周りで前記カバー部に対して前記漏斗形状の内周側開口の縁が固定された襟部とを含めて構成したものである。
【０００７】
このような耳あてによれば、各耳カバーのカバー部と襟部との間にできる溝に、顎紐やマスクの耳紐を掛け回して、耳あてを使用することができる。そして、これら顎紐やマスクによって、各耳カバーが耳から外れないように安定化することができるようになる。また、逆に言えば、マスクを支障なく安定的に着用することができる。また、このような耳あては、頭部に掛けるフレーム等を用いないので、小型であり、携帯や収容に適している。
【０００８】
さて、このような耳あてにおいては、前記襟部に、下部に設けられた紐通し用の孔を設けることが好ましい。このような紐通し用の孔を設けるようにしても良い。このような、紐通し用の孔を設ければ、顎紐をこの紐通し用の孔に通して使用することにより、襟部の形状によらず、顎紐が耳カバーから顎下方向に素直に延びるようにして、耳あて着用時の装着感や安定度を高めことができる。
【０００９】
また、このような耳あてにおいては、前記襟部を、前記カバー部との固定部で、当該襟部が前記カバー部と反対の側に向かって開いた漏斗形状となるように、折り返し可能とすることが、前述したマスクの耳ひもや顎ひもの装着を容易化する上で好ましい。
【００１０】
また、このような耳あてにおいては、前記襟部の漏斗形状を、当該漏斗形状の高さが、前記耳カバー使用時において当該耳カバーの使用者からみて下方前方に向かって低くなるものとするのが良い。このようにすることにより、マスクの耳紐を耳カバーからマスクとの連結部の方向に引っかかりなく素直に延びるようすることができ、極めて安定的かつ装着感良く、耳あてを装着することができるようになる。
【００１１】
【発明の実施の形態】
以下、本発明の実施形態について説明する。
本実施形態に係る耳あては、左右１対の耳カバーより成り、左右の耳カバーは、左右に対称な形状を有する。
図１ａに、左右１対の耳カバーのうちの左の耳カバーの使用状態における形状を示す。
図中、ａ１が耳カバーの前面を、ａ２が右側面を、ａ３が後面を、ａ４が左側面を、ａ５が上面を、ａ６が下面を表している。なお、ここで言う前後左右上下の方向は、耳あてを着用した状態における着用者から見た方向としている。
図示するように、耳カバー１００の右面には耳挿入口１０１が設けられており、全体として右面を上とするドーム型の形状を有している。また、右側面下方には、紐通孔１０２が設けられている。
ここで、図１ｂ１に、図１ａ２の切断線Ａ−Ａによる耳カバー１００の通常状態における切断端部を示すように、耳カバー１００は、耳挿入口１０１を開口とする袋形状を有するカバー部１０３と、カバー部１０３の耳挿入口１０１の縁に、内周の縁が固定された漏斗形状（ラッパ形状）の襟部１０４とを有する。そして、前述した紐通孔１０２は、襟部１０４の右側面下方に設けられている。
【００１２】
さて、襟部１０４は、カバー部１０３に対して耳挿入口１０１の縁で折り返すことにより、図１ｂ１と同箇所の切断端部を示す図１ｃ１に示すように、カバー部１０３に対して右方向に漏斗状に開いた状態とすることができる。
【００１３】
すなわち、耳カバー１００には、図１ｂ２に示す通常の形態と、図１ｃ２に示す紐装着時の形態とを任意にとらせることができる。
次に、本実施形態において、耳挿入口１０１は、図１ｄに耳挿入口縁の耳カバー左側面からの高さを示すように、下方から上方にかけて耳カバー左側面からの高さが大きくなり、前方から後方にかけて耳カバー左側面からの高さが大きくなるように形成している。
【００１４】
以上、左の耳カバー１００の形状について説明した。なお、右カバーの形状は、以上の左の耳カバー１００の説明において、左右を交替したものとなる。
次に、このような耳あての使用例について説明する。
図２は、ゴム紐を用いて形成した顎紐２０１を用いて耳あてを安定的に装着する使用例を示したものである。
図２ａに示すように、この場合には、まず、襟部１０４をカバー部１０３に対して折り返し、顎紐２０１の端をカバー部１０３と反対の側から紐通孔１０２に通し、顎紐２０１の端に作った輪を襟部１０４とカバー部１０３の間のくびれに掛ける。そして、襟部１０４を戻して、図２ｂに示すように通常の形態とする。
【００１５】
また、耳あてを使用する際には、図２ｃに示すように、左右の耳カバー１００に、左右の耳をそれぞれ耳挿入口１０１より挿入して装着し、顎紐２０１を顎に掛ける。
ここで、本実施形態に係る耳あてにおいては、前述したように、耳挿入口１０１が、下方から上方にかけて耳カバー左側面からの高さが大きくなり、前方から後方にかけて耳カバー左側面からの高さが大きくなるように形成されている。そして、この耳挿入口１０１の形状と紐通孔１０２を設けたことによって、耳あて装着時において、顎紐２０１が耳あてから顎方向に引っかかりなく素直に延びるようになる。したがって、極めて安定的かつ装着感良く、耳あてを装着することができる。
【００１６】
次に、図３は、マスクと耳あてを併用する場合の使用例を示したものである。
図３ａに示すように、この場合には、まず、襟部１０４をカバー部１０３に対して折り返し、マスクの耳紐３０１を襟部１０４とカバー部１０３の間のくびれに掛ける。そして、襟部１０４を戻して、図３ｂに示すように通常の形態とする。
【００１７】
また、マスクと耳あてを使用する際には、図３ｃに示すように、左右の耳カバー１００に、左右の耳をそれぞれ耳挿入口１０１より挿入して装着し、マスクを口に掛ける。
ここで、本実施形態に係る耳あてにおいては、前述したように、耳挿入口１０１が、下方から上方にかけて耳カバー左側面からの高さが大きくなり、前方から後方にかけて耳カバー左側面からの高さが大きくなるように形成されている。そして、この耳挿入口１０１の形状によって、耳あて及びマスク装着時において、マスクの各耳紐３０１が耳カバー１００からマスクとの連結部の方向に引っかかりなく素直に延びるようになる。したがって、極めて安定的かつ装着感良く、耳あてを装着することができる。
【００１８】
なお、この耳挿入口１０１の立体的な形状は、耳あての強度を高め耳あてのドーム型の形状を保つ作用も奏している。
以下、以上のような耳あての具体例について説明する。
図４、５は、縫製による耳あての製造手順を示したものである。
すなわち、この具体例においては、まず、二枚の布の表面を合わせて縁を一部を残して重ね縫いすることにより袋状にした図４ａに示す形状の襟部用部材４０１を製作する。そして、図４ｂに示すように襟部用部材４０１を表面が表となるようにひっくり返し、二枚の布で形成される袋に補強板４０２を挿入し袋の口を重ね縫いして閉じると共に、図４ｃに示すように二枚の布と補強板４０２を重ね縫いして固定する。
【００１９】
そして、図４ｄに示すように、襟部用部材４０１の下に、表面を上にしたカバー部挿入口側布４０３を配置し、図４ｅに示すように襟部用部材４０１の内側縁のところで重ね縫いし、カバー部挿入口側布４０３の内側を襟部用部材４０１の内側縁に合わせて切り取る。ここで、カバー部挿入口側布４０３と襟部用部材４０１の縫い合わせは、図４ｇに示すように、カバー部挿入口側布４０３の端を折り返して襟部用部材４０１に縫い合わせることにより行う。このようにすることにより、耳挿入口１０１の縁を耳挿入口１０１の開口面と垂直な方向に立ち上がらせ、耳挿入口１０１の強化と、襟部１０４のカバー部１０３に対する、耳挿入口１０１を変形することのないスムーズな折り返しが可能となる。
【００２０】
次に、図４ｆに示すように、襟部用部材４０１の端と端を重ねて襟部用部材４０１が漏斗状になるように縫うと共に、カバー部挿入口側布４０３の端と端を重ねて襟部用部材４０１に合わせて漏斗状になるよう縫う。
次に、図５ａに示すように、襟部用部材４０１をカバー部挿入口側布４０３の開口にくぐらせて裏返し、カバー部挿入口側布４０３の下にカバー部外側用部材４０４を配置する。ここで、カバー部外側用部材４０４は、二枚の布で、二枚の布の表面が外側となるように布状の断熱材を挟みこんだものである。さて、次に、図５ｂに示すようにクリップ等を用いて、カバー部挿入口側布４０３の下にカバー部外側用部材４０４を固定し、図５ｃに示すように、カバー部挿入口側布４０３とカバー部外側用部材４０４の外周側の縁を重ね縫い、楕円状の形状に切り取る。そして、カバー部挿入口側布４０３とカバー部外側用部材４０４を、襟部用部材４０１の開口にくぐらせて裏返して、図５ｄに示す形状とし、図５ｅに示すように、鳩目４０５をつけて紐通孔１０２を形成し、一つの耳カバー１００を完成する。
【００２１】
ところで、襟部用部材４０１として厚手の生地を使用する場合、生地の厚みが襟部１０４の折り返しの障害となることがある。そこで、このような場合には、図４ａに示す形状の襟部用部材４０１に代えて、図６ａに示すような開口の回りを一重にした襟部用部材４０１を用いるようにすることが好ましい。
【００２２】
このような襟部用部材４０１を用いることにより、図６ｂに示すように、カバー部挿入口側布４０３との連結部付近の部分６０１のみ、布が一重となり、他部６０２は布が二重となる形状が得られ、スムーズに襟部１０４の折り返しを行えるようになる。
【００２３】
次に、図７ａ〜ｅに、耳あての他の具体例を示す。
図７ａに左の耳カバー１００を例にとり示すように、この具体例では、耳カバー１００を、襟形成部材７０２と、外カバー部７０３とより構成している。襟形成部材７０２は、ボリエチレンなどの化学樹脂を用いて形成しており、図示するように漏斗形状を有する内部襟部７０４と外部襟部７０５とを逆向きに開くように連結したような形状を有している。そして、図７ｂの耳カバー１００の右側面図の切断線Ｂ−Ｂによる切断端部を表した図７ｃに示すように、袋状の外カバー部７０３に、襟形成部材７０２の内部襟部７０４を差し入れることにより耳カバー１００が形成されている。そして、襟形成部材７０２の外部襟部７０５が、襟部１０４として、図７ｃと同箇所の切断端部を表す図７ｄに示すように折り返すことができるようになっている。
【００２４】
また、襟形成部材７０２の外部襟部７０５の外カバー部７０３側の面には、使用時に耳の後ろ側となる部分に、紐脱落防止用のストッパ７０６を固定的に設けている。また、耳挿入口１０１の襟には、環状のクッション部材７０７を設けており、このクッション部材７０７は、図７ｅに示すような噛合溝を用いた取付構造により、襟形成部材７０２に取り付けられている。また、ストッパ７０６には、折り返し時に襟部１０４に追従して変形して襟部１０４の折り返しの障害とならないようにするための、切れ込みが間隔をおいて設けられている。
さて、図７ｆは、耳あてのさらに他の具体例の断面構造を示すものである。
図示するように、この耳あてでは、図７ａ〜ｅに示した耳あての襟形成部材７０２と外カバー部７０３に代えて、ポリエチレン等の合成樹脂で形成した襟形成部材８０１とポリエチレン等の合成樹脂で形成した外カバー部８０３とを用い、両者の形状を襟形成部材８０１の下部端と外カバー部８０３の上部端で噛み合って、ドーム形状を形成するものとしたものである。なお、図中の８０２は、襟形成部材８０１の内周に設けた環状のクッション部材８０２である。
【００２５】
以上、本発明の実施形態について説明した。なお、以上の実施形態では、カバー部１０３の耳挿入口１０１の縁に、襟部１０４の漏斗形状の内周の縁が一致するようにしたが、襟部１０４の漏斗形状の内周の縁が、カバー部１０３の耳挿入口１０１の縁よりも外側となるように、襟部１０４とカバー部１０３を連結等するようにしても良い。また、襟部１０４をカバー部１０３に対して全くまたは部分的に折り返しできないように形成することもでき、この場合には、顎紐２０１やマスクは、顎ひもの端に設けた環やマスクの耳紐３０１を、襟部１０４とカバー部１０３との間にできる溝に挿入して掛け回した上で、使用するようにするようにすれば良い。
【００２６】
【発明の効果】
以上のように、本発明によれば、安定的に着用することのできる小型の耳あてを提供することができる。また、マスクとの同時着用に適した耳あてを提供することができる。
【図面の簡単な説明】
【図１】本発明の実施形態に係る耳あての構造を示す図である。
【図２】本発明の実施形態に係る耳あての使用例を示す図である。
【図３】本発明の実施形態に係る耳あての使用例を示す図である。
【図４】本発明の実施形態に係る耳あての具体例を示す図である。
【図５】本発明の実施形態に係る耳あての具体例を示す図である。
【図６】本発明の実施形態に係る耳あての具体例を示す図である。
【図７】本発明の実施形態に係る耳あての具体例を示す図である。
【符号の説明】
１００：耳カバー、１０１：耳挿入口、１０２：紐通孔、１０３：カバー部、１０４：襟部、２０１：顎紐、３０１：耳紐、４０１：襟部用部材、４０２：補強板、４０３：カバー部挿入口側布、４０４：カバー部外側用部材、４０５：鳩目、７０２：襟形成部材、７０３：外カバー部、７０４：内部襟部、７０５：外部襟部、７０６：ストッパ、７０７：クッション部材、８０１：襟形成部材、８０２：クッション部材、８０３：外カバー部。
【図１】
2004187818.tif 000003
【図２】
2004187818.tif 000004
【図３】
2004187818.tif 000005
【図４】
2004187818.tif 000006
【図５】
2004187818.tif 000007
【図６】
2004187818.tif 000008
【図７】
2004187818.tif 000009